(57)【要約】【課題】ガイドレールを強固に、精度良く固定でき、吊車の円滑なスライドを可能とする取付構造と、これを使用する扉開閉装置を提供する。【解決手段】開口部３を有する取付部材である壁面１に取付けられるガイドレール１０は、長手方向に沿って突出形成した取付リブ１７を備え、壁面１の開口部３の上辺に沿って、長手方向に取付溝２１を形成した桟部材２０を水平に固定し、桟部材２０の取付溝２１に、ガイドレール１０の取付リブ１７を挿入して固定する。桟部材２０は壁面１から突出して固定され、取付溝２１は水平方向に開口し、取付リブ１７は水平方向に突出する。【選択図】　図２
2004116247.tif 000002
【特許請求の範囲】
【請求項１】
開口部を有する壁面等の取付部材にガイドレールを取付ける構造であって、
前記ガイドレールは、長手方向に沿って突出形成した取付リブを備え、
前記取付部材の開口部の上辺に沿って、長手方向に取付溝を形成した桟部材を水平に固定し、
前記桟部材の取付溝に、前記ガイドレールの取付リブを挿入して固定することを特徴とするガイドレールの取付構造。
【請求項２】
前記桟部材は前記取付部材の垂直面から突出した状態で固定され、前記取付溝は前記取付部材の垂直面と対向する取付面に水平方向に開口するものであり、
前記ガイドレールの取付リブは、垂直取付部から水平方向に突出することを特徴とする請求項１に記載のガイドレールの取付構造。
【請求項３】
前記桟部材は、前記取付溝が取付面の幅方向の中央に形成されることを特徴とする請求項１又は２に記載のガイドレールの取付構造。
【請求項４】
前記ガイドレールは長手方向に直交する分割面で２つに分割され、該２つの分割レール片は前記分割面同士を対接させて前記桟部材に固定されることを特徴とする請求項１〜３のいずれか１項に記載のガイドレールの取付構造。
【請求項５】
請求項１〜４のいずれか１項に記載のガイドレールの取付機構を使用して、前記取付部材に固定された前記ガイドレールに、扉をスライド可能に装着することを特徴とする扉開閉装置。
【請求項６】
請求項４に記載のガイドレールの取付構造を使用して、最初に固定された第１の分割レール片の開口端部に扉をスライド可能に挿入し、第２の分割レール片の前記分割面を前記第１の分割レール片の分割面に対接させて前記第１の分割レール片と連結することを特徴とする扉開閉装置。
【発明の詳細な説明】
【０００１】
【発明の属する技術分野】
本発明は、クローゼット等の収納部に取付けられるガイドレールの取付構造に係り、特に、収納部の開口を開閉する扉等を装着しやすくするため長手方向に分割されたガイドレールの取付構造と、これを使用する扉開閉装置に関する。
【０００２】
【従来の技術】
従来、この種のガイドレールの取付構造として、例えば図９（ａ）、（ｂ）に示す構造のものがある。図９（ａ）に示す取付構造は、壁４０等の開口部４１に折戸４２を取付けるものであり、開口部に沿ってガイドレール４３を取付ビス等により水平に直接固定し、このガイドレールの立ち上がり面に吊車のローラ４４をスライド可能に引掛けて、折戸４２を吊下げる構造としている。
【０００３】
また、図９（ｂ）に示す構造は、ガイドレール４５は略Ｔ型で下方に開口するレール溝を有し、このレール溝の内部に吊車４６を挿入し、この吊車から折戸４７等を吊下げている。このタイプのガイドレールの場合、ガイドレール４５を分割して分割端部のレール溝の開口から吊車４６を挿入するようにしている。
【０００４】
【発明が解決しようとする課題】
ところで、前記構造のガイドレールの取付構造は、ガイドレールを取付ける壁面等の取付部材は、開口部周辺の強度が弱く、例えば大型の折戸をガイドレールに取付けると、ガイドレールに折戸の全重量がかかって変形する虞があった。また、開口部周辺へのガイドレールの取付は、例えば複数本のビスにより固定するため、取付作業が煩雑となっていた。特に、吊車をレール溝に挿入するためガイドレールが分割され複数の分割レール片から構成される場合、分割レール片の継ぎ目に段差や隙間が生じやすく、折戸の吊車が円滑にスライドできないという問題があった。
【０００５】
本発明は、このような問題に鑑みてなされたものであって、その目的とするところは、壁面等の取付部材の開口部周辺を補強でき、ガイドレールを強固に、精度良く固定でき、吊車の円滑なスライドを可能とするガイドレールの取付構造を提供することにある。また、ガイドレールの取付作業が容易で、ガイドレールが分割され複数の分割レール片で構成される場合でも、分割レール片の継ぎ目部分の段差や隙間を最小とすることができ、吊車を円滑にスライドできるガイドレールの取付構造を提供することにある。さらに、前記のガイドレールの取付構造を使用した扉開閉構造を提供することにある。
【０００６】
【課題を解決するための手段】
前記目的を達成すべく、本発明に係るガイドレールの取付構造は、開口部を有する壁面等の取付部材にガイドレールを取付ける構造であって、ガイドレールは、長手方向に沿って突出形成した取付リブを備え、取付部材の開口部の上辺に沿って、長手方向に取付溝を形成した桟部材を水平に固定し、桟部材の取付溝に、ガイドレールの取付リブを挿入して固定することを特徴とする。すなわち、ガイドレールから突出する取付リブを桟部材の取付溝に挿入したあと、ねじ止め、釘止め等により、ガイドレールを確実に桟部材に固定する。
【０００７】
前記のごとく構成された本発明のガイドレールの取付構造は、取付部材の開口部の上部に、開口部に沿って桟部材を固定しているため開口部周辺を補強でき、重量の大きい折戸等を吊下げてもガイドレールが変形することを防止できる。また、桟部材の長手方向に沿って取付溝を形成してあり、ガイドレールの取付リブを取付溝に挿入した状態で例えばねじ止めで固定するため、取付作業が容易となる。さらに、ガイドレールが分割される場合でも、分割された分割レール片は取付溝をガイドとして固定されるため、継ぎ目部分の段差や隙間を最小限にでき、装着される折戸等の吊車を円滑にスライドさせることができる。
【０００８】
また、本発明に係るガイドレールの取付構造の好ましい具体的な態様としては、前記桟部材は取付部材の垂直面から突出した状態で固定され、前記取付溝は取付部材の垂直面と対向する取付面に水平方向に開口するものであり、ガイドレールの取付リブは、垂直取付部から水平方向に突出することを特徴としている。すなわち、壁面の前方の垂直面に桟部材を突出して固定し、桟部材の取付溝は前方に向けて水平に開口し、ガイドレールの取付リブは後方に向けて水平に突出し、取付部材の前面から桟部材とガイドレールを前方に突出した状態で固定する。
【０００９】
この構成によれば、桟部材及びガイドレールは取付部材の前方に突出して固定されるため、開口部を広く取ることができる。そして、水平に開口する取付溝に、ガイドレールの後方に突出する水平状の取付リブを挿入して容易に固定できる。また、桟部材の厚みにより折戸等は壁面等の取付部材から離れ、折戸等の取付部材への干渉を回避できる。
【００１０】
さらに、本発明に係るガイドレールの取付構造の好ましい具体的な他の態様としては、桟部材は、前記取付溝が取付面の幅方向の中央に形成されることを特徴としている。この構成によれば、桟部材が幅方向に対称であるため、取付部材に固定するとき上下を確認することなく単純に固定することができ、容易に桟部材の固定が行える。
【００１１】
本発明に係るガイドレールの取付構造の好ましいさらに他の具体的な態様としては、ガイドレールは長手方向に直交する分割面で２つに分割され、２つの分割レール片は分割面同士を対接させて桟部材に固定されることを特徴とする。この構成によれば、ガイドレールが分割されている場合でも、ガイドレールは取付リブを取付溝に挿入してから固定されるため、継ぎ目部分の段差や隙間を小さくすることができ、ガイドレールに支持される折戸等の吊車は、継ぎ目部分を円滑に通過してスライドできる。
【００１２】
本発明に係る扉開閉装置は、前記のガイドレールの取付機構を使用して、取付部材に固定されたガイドレールに、扉をスライド可能に装着することを特徴とする。このように構成された扉開閉装置は、ガイドレールの取付けが容易に行え、ガイドレールの変形が防止されているため扉のスライドが容易に安定して行え、扉の開閉が円滑に行える。特に、ガイドレールが分割されるものであっても、折戸等の扉や吊車の円滑なスライドが可能となる。
【００１３】
本発明に係る扉開閉装置の他の態様としては、前記の長手方向に直交する分割面で２つに分割されるガイドレールの取付機構を使用して、最初に固定された第１の分割レール片の開口端部に扉をスライド可能に挿入し、第２の分割レール片の分割面を前記第１の分割レール片の分割面に対接させて第１の分割レール片と連結することを特徴とする。この構成によれば、ガイドレールが分割されるものでも、最初に固定された分割レール片に、つぎに固定する分割レール片を押付けて分割面同士を対接させて固定するため、連結部分の段差や隙間を最小にすることができ、装着された扉を円滑にスライドさせることができる。
【００１４】
【発明の実施の形態】
以下、本発明に係るガイドレールの取付構造を使用した扉開閉装置の一実施形態を図面に基づき詳細に説明する。図１は、本実施形態に係る扉開閉装置の概略斜視図、図２は、図１のガイドレール部分の要部断面図、図３はガイドレールと桟部材を離した状態の断面図、図４は折戸と、その要部を示す斜視図である。
【００１５】
図１〜４において、ガイドレール１０を取付ける取付部材である住宅の壁面１には、クローゼット等の収納部２に出入するための開口部３が形成されている。この開口部３の上辺に沿ってガイドレール１０が桟部材２０を介して取付けられ、ガイドレール１０には開口部を開閉する扉として折戸３０や引戸等が装着される。開口部３の左右の縦辺に沿って断面がＬ字状の縦枠４，４が固定され、縦枠の間の床面に下レール５と、下レールの両端に下ストッパー６，６が固定されている。なお、下レールは必ずしも必要でない。
【００１６】
ガイドレール１０は例えばアルミニウムの押出し材から形成され、その断面形状は垂直取付部１１と、垂直取付部の上下方向の略中央部から水平方向に前方に向けて延出する上壁１２と、この上壁の突出端部から垂下する側壁１３と、垂直取付部１１の下端部及び側壁１３の下端部より内側に向けて延出して対向する２つの下壁１４，１５とから構成され、下壁１４，１５の間隙がレール溝１６となっており、レール溝は下方に開口し、略Ｔ字状をしている。垂直取付部１１の上壁１２より上部には所定の間隔で複数の取付孔１１ａが穿設されている。ガイドレール１０には長手方向に沿って、後方に向けて突出形成した取付リブ１７が備えられている。すなわち、ガイドレール１０の垂直取付部１１には、幅方向の中央から上壁１２と反対側に、すなわち壁面１の後方に向けて水平に延びるように取付リブ１７が突出形成されている。
【００１７】
ガイドレール１０は長手方向に２つに分割され、長尺の主レール１０Ａと、短尺の継レール１０Ｂとから構成され、主レール１０Ａと継レール１０Ｂは断面形状が同じとなっている。このガイドレール１０には、２つの下壁１４，１５の上面に後述する折戸３０の吊車のローラが対接し、吊車の吊下げ軸がレール溝１６から露出して下端に折戸３０や引き戸等が吊下げられる構成である。
【００１８】
壁面１の開口部３周囲には、左右の縦桟１ａと上部の横桟１ｂが位置しており、縦桟及び横桟の前面には壁材１ｃが固定されている。本実施形態のガイドレールの取付構造では、開口部３の上辺に沿って補強用の桟部材２０を水平に固定している。桟部材２０は断面が正方形あるいは長方形である木製の棒から形成され、垂直面である壁面１から前方に突出して固定されている。桟部材２０の壁面１への固定は、釘や木ねじ２５を桟部材２０を貫通して横桟１ｂに螺入し、あるいは接着剤等により壁材１ｃに接着により行われ、これらを併用して行ってもよい。なお、桟部材は木製に限らず、合成樹脂製や金属製のもの等、適宜のものを使用できる。
【００１９】
桟部材２０は壁面１に固定される背面２０ａと対向する前面２０ｂに長手方向に沿って取付溝２１が形成されている。この取付溝２１は、桟部材２０の前面の幅方向の中央に水平方向に形成され、前方に向けて開口している。そして、取付溝２１にガイドレール１０の取付リブ１７が挿入できる構成となっている。本実施形態では、取付溝２１の上下幅に対して取付リブ１７の肉厚をわずかに大きく設定し、圧入状態に嵌合するようにしているが、取付溝の上下幅より取付リブを小さく設定し、両者が緩く嵌合するようにしてもよい。
【００２０】
折戸３０，３０は、それぞれ２枚の戸３１が使用され、２枚の戸３１がヒンジ機構３２により折りたためるように連結されている。２枚が連結された折戸３０の両端の上部には吊車３３が固定されている。吊車３３は本体部の側面に４個のローラ３４が回動可能に支持され、本体部の中央から下方に吊下げ軸３５が固定され、吊下げ軸３５と折戸３０を支持するＬ型の金具３６とは回転可能となっている。折戸の一方の戸３１の下端にはガイドローラ３７が固定され、折戸の他方の戸３１の下端にラッチ３８が固定されている。なお、下レール５を用いる開閉装置の場合はラッチ３８を固定するが、下レールを用いない場合はラッチを固定しなくてよい。さらに、下レールを固定せず、開口部中央の床面にラッチ受け（図示せず）を設ける構成でもよい。
【００２１】
前記の如く構成された本実施形態の扉開閉装置の取付動作について、図５〜８を参照して説明する。ガイドレール１０を取付けようとする壁面１の前方の垂直面に、先ず図５（ａ）に示すように桟部材２０を固定する。桟部材２０は断面が長方形で、取付溝２１が前方となるように釘や木ねじ２５で開口部３の上辺に沿って固定する。木ねじ２５は、ねじ頭が平坦な皿ねじが好ましい。
【００２２】
本実施形態では、桟部材２０の取付溝２１の上半部はガイドレール１０を固定する領域であり、取付溝２１の下半部に木ねじ２５をねじ込んで壁面１の内部の横桟１ｂに達するようにする。このように開口部３の上辺に沿って、開口部の前面に桟部材２０を固定するため、開口部の開口面積を狭めることなく開口部の上辺を補強することができる。桟部材２０の取付溝２１は上下幅の中央に形成されているため、上下位置を確認することなく容易に固定することができる。
【００２３】
つぎに、図５（ａ）に示すように、固定された桟部材２０にガイドレール１０を固定する。主レール１０Ａの垂直取付部１１から水平方向に突出する取付リブ１７を桟部材２０の取付溝２１に矢印のように挿入する。取付リブ１７は取付溝２１に圧入状態に保持されるため、従来のようにガイドレールを一方の手で支持して他方の手でねじ込んで固定するという煩雑な操作を不要として、ガイドレール１０の取付孔１１ａに木ねじ２６をねじ込んで容易に固定することができる。このようにして、主レール１０Ａを開口部３の上辺に沿って、容易にしかも確実に固定することができる。
【００２４】
また、図５（ｂ）に示すように、開口部３の左右の縦辺に沿って縦枠４，４を固定し、左右の縦枠の間の床面に下レール５と、下レールの両端の下ストッパー６，６を固定する。さらに、ガイドレール１０の左右端に図７に示される上ストッパー７を固定する。下ストッパー６は詳細には図示していないが、下ストッパー６は折戸３０のガイドローラ３７の軸部を保持するものであり、上ストッパー７は吊車３３の吊下げ軸３５を保持して折戸３０の端部を固定するものである。
【００２５】
このあと、図６（ａ）に示すように、主レール１０Ａの端部の開口から折戸３０の吊車３３，３３を挿入する。一方の折戸３０の両端の吊車３３を主レール１０Ａの開口から挿入して吊下げ、次いで他方の折戸３０の両端の吊車３３を主レール１０Ａの開口から挿入して吊下げる。そして、２組の折戸３０を吊下げたあと、図６（ｂ）に示すように、継レール１０Ｂを固定する。
【００２６】
すなわち、主レール１０Ａと同様に、継レール１０Ｂの取付リブ１７を桟部材２０の取付溝２１に挿入し、桟部材２０に保持させた状態で木ねじ２６により固定するので、容易に固定できる。継レール１０Ｂは取付リブ１７が桟部材２０の取付溝２１で位置決めされ、継レール１０Ｂを主レール１０Ａ方向に押付け、主レールの分割面と継レールの分割面を対接させるため、継ぎ目部分の隙間や段差を極めて小さくすることができ、主レール１０Ａと正確に方向付けられて固定できる。また、主レール１０Ａ及び継レール１０Ｂから構成されるガイドレール１０は、桟部材２０で補強された状態で固定されるため、重量の大きい折戸３０や引戸を吊下げても、ガイドレール１０の中央部が撓む等の変形を防止することができ、折戸３０のスライド動作が安定して行える。
【００２７】
つぎに、図７に示すように、上ストッパー７と吊車３３の調整により、吊元の固定と折戸の調整を行う。上ストッパー７はガイドレール１０の端部の開口から挿入され、左右位置を調整してドライバＤにより固定する。また、吊車３３の吊下げ軸３５をスパナＳで調整して折戸３０の上下位置を調整し、２枚の戸３１がガイドレール１０に沿って円滑にスライドできるように調整する。なお、図７は説明のため、ガイドレール１０と、上ストッパー７及び折戸３０の吊車３３とが分解した状態を示している。調整が完了すると、図１の状態となる。
【００２８】
このあと、図８に示すように、ガイドレール１０の外側に長手方向に沿って装飾用のレールカバー１８を取付け、ガイドレール１０の端部にサイドカバー１９，１９を固定する。レールカバー１８はアルミニウムの押出し材から形成され、サイドカバー１９は樹脂又はアルミダイキャストで形成される。レールカバー１８を取付けることにより分割レール片である主レール１０Ａ、継レール１０Ｂから構成されるガイドレール１０は一直線上に規制され、吊車３３のスライドがさらに円滑となる。また、継ぎ目部分が見えなくなるため、見栄えが良くなる。なお、レールカバー及びサイドカバーを取付けなくても機能的に問題はなく、これらは必ずしも必要でない。
【００２９】
このように、本発明に係るガイドレールの取付構造は、開口部周辺を補強できるため、重量の大きい折戸等を吊下げてもガイドレールが変形することはない。また、ガイドレールの取付リブを取付溝に挿入した状態で固定するため、取付作業が容易となる。さらに、ガイドレールが分割される場合でも、継ぎ目部分の段差や隙間を最小限にできるため、装着される折戸等の吊車を円滑にスライドさせることができる。
【００３０】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、扉開閉装置として、下レールのタイプの有る例を示したが、下レールの無いタイプや、下レールが無く中間部にラッチ受けの有るタイプ等、適宜のタイプに適用できる。
【００３１】
また、ガイドレールに折戸等をスライド可能に装着する例として、吊車を介して装着する例を示したが、吊車を用いず例えば潤滑性を有する合成樹脂や、含油合金を使用するスライダーを使用して摺動させるようにしてもよい。さらに、桟部材には下方に開口する取付溝を形成し、ガイドレールには上方に突出する取付リブを形成し、取付溝に下方から取付リブを挿入して桟部材の下方にガイドレールを固定するようにしてもよい。
【００３２】
【発明の効果】
以上の説明から理解できるように、本発明のガイドレールの取付構造は、開口部周辺を補強でき、重量の大きいガイドレールでも、変形することなしに取付けることができる。また、ガイドレールの取付作業が容易となる。そして、ガイドレールが分割される場合でも、継ぎ目部分の段差や隙間を最小限にでき、装着される折戸等の扉の吊車を円滑にスライドさせることができる。
【図面の簡単な説明】
【図１】本発明に係るガイドレールの取付構造を用いた扉開閉装置の一実施形態の概略斜視図。
【図２】図１のガイドレール部分の要部断面図。
【図３】図１，２に示すガイドレールと桟部材を離した状態の断面図。
【図４】折戸と、その要部を示す斜視図。
【図５】図１に示す扉開閉装置の取付動作を示し、（ａ）は桟部材の取付溝にガイドレールの取付リブを挿入する説明図、（ｂ）は開口部に桟部材を固定し主レールを固定した状態の斜視図、（ｃ）は下レール部の説明図。
【図６】図５に続く扉開閉装置の取付動作を示し、（ａ）は主レールに折戸の吊車を挿入する状態の説明図、（ｂ）は２組の折戸を挿入し継レールを固定する状態の斜視図。
【図７】図６に続く扉開閉装置の取付動作を示し、吊元の固定と折戸の調整の説明図。
【図８】（ａ）はガイドレールにレールカバーとサイドカバーを取付ける状態の動作説明図、（ｂ）はレールカバーとサイドカバーを取付け、折戸を閉めた状態の斜視図。
【図９】従来の扉開閉機構に使用するガイドレールの取付機構を示し、（ａ）はガイドレールの上部に吊車を引掛けるタイプの要部断面図、（ｂ）はレール溝に吊車を挿入するタイプの要部断面図。
【符号の説明】
１　壁面（取付部材）、　２　収納部、
３　開口部、　　　　　　１０　ガイドレール、
１０Ａ　主レール（分割レール片）、
１０Ｂ　継レール（分割レール片）、
１１　ガイドレールの垂直取付部、
１６　レール溝、　　　　１７　取付リブ、
２０　桟部材、　　　　　２１　取付溝、
２５，２６　木ねじ、
３０　折戸（扉）、　　　３３　吊車
【図１】
2004116247.tif 000003
【図２】
2004116247.tif 000004
【図３】
2004116247.tif 000005
【図４】
2004116247.tif 000006
【図５】
2004116247.tif 000007
【図６】
2004116247.tif 000008
【図７】
2004116247.tif 000009
【図８】
2004116247.tif 000010
【図９】
2004116247.tif 000011